(57)【要約】      （修正有）【課題】和式および洋式の個室トイレの男女共用型の便器に任意に構え、開腹手術後の傷口の化膿部分の洗浄やできものの膿の洗浄および排便排尿後の陰部の洗浄を行うことができる衛生シャワーを提供する。【解決手段】和式および洋式の個室トイレに配管されている給水管又は、シャワートイレの洗浄水の射出部分に枝管を分岐させ、この枝管をトイレ使用者の手の届く位置まで導き、この枝管に水圧調節コックを接続して個室トイレの壁に固定し、このコックの反枝管側に自在ホースを取り付け、そのホースの先端に流量調節ハンドコックを取り付け、さらにこのハンドコックの先端に直線状のノズルあるいは湾曲したノズルあるいは自在に曲がるノズルを接合する。  【選択図】図１
0003160314.tif 000002
【実用新案登録請求の範囲】
【請求項１】
便器と上水道から分岐する配管、水圧調節コック、自在ホース、流量調節ハンドコック、ホース先端部ノズルおよびドライヤーから成るを特徴とする衛生シャワー。
【請求項２】
既存のシャワートイレの洗浄水射出部に分岐する枝管を接続し、その二次側に前記配管類などを接続して成るを特徴とする請求項１記載の衛生シャワー。
【考案の詳細な説明】
【技術分野】
【０００１】  本考案は、和式および洋式の個室トイレの男女共用型の便器に任意に構え、手を伸ばせば届く範囲内に設置された上水道から分岐する配管類や水圧調節コック、自在ホース、流量調節ハンドコックおよび洗浄液射出ノズルなどを設け、開腹手術後の傷口の化膿部分の洗浄やできものの膿の洗浄および排便排尿後の陰部の洗浄などに関するものである。
【背景技術】
【０００２】  通常、開腹手術後の傷口の化膿部分の洗浄やできものの膿の洗浄および男性器の洗浄などは風呂場での入浴かシャワーでおこなっている。【０００３】  洋式の個室トイレの男女共用型の便器には排便後の肛門の洗浄あるいは排尿後の女性用のビデなどのための洗浄器がシャワートイレとして備えられているものがある。【０００４】  特許として、小便器に固定する男性用ビデ、というものがある（例えば特許文献１参照）。
【先行技術文献】
【特許文献】
【０００５】
【特許文献１】  特開平９−２５２９８８（第３頁、図１）
【考案の概要】
【考案が解決しようとしている課題】
【０００６】  通常、開腹手術後の傷口の化膿部分の洗浄やできものの膿の洗浄および男性器の洗浄は、風呂場での入浴かシャワーによって行われている。このシャワーでの化膿部分の奥深い微小な部分の洗浄は、シャワーで洗浄水をかけながら化膿部分の膿をガーゼを用いて洗っている。一方、本考案の衛生シャワーでは洗浄水の水圧や形状を微妙にコントロールできるので、化膿部分の奥深い微小な部分の洗浄も可能である。したがって、ガーゼを用いずに非接触で洗浄が行えるので傷口にダメージを与えずに衛生的に洗浄することができる。
【０００７】  入院病棟での患者が風呂やシャワーを使用する場合、風呂場やシャワー室の設置数には限度があるので、利用者の間で使用待ちがしばしば発生する。そこで洗浄用シャワーを簡便に設置する場所として和式および洋式の個室トイレを用いればこの問題は解決する。
【０００８】  通常、和式の個室トイレの便器には排便排尿後の陰部の洗浄器は備えられていない。本考案の衛生シャワーは和式便器においても洋式便器同様陰部の洗浄が簡単にできる。
【０００９】  本考案の衛生シャワーを使用する場合には着ている服をほとんど脱がなくてすむので、風邪や病気などで裸になって風呂やシャワーなどを使用することが困難な場合でも、本考案の衛生シャワーを便利に使用することができ、清潔に衛生を保持できる。
【００１０】  本考案の衛生シャワーを使用する場合には着ている服をほとんど脱がなくてすむので、衣服の脱着が困難で風呂やシャワーなどを使用することが容易でない人々に対しても、本考案の衛生シャワーを便利に使用することができ、清潔に衛生を保持できる。
【００１１】  本考案の衛生シャワーを使用する場合、着ている服をほとんど脱がなくてすむので、冬期の寒い時などには寒さ対策としても極めて有用である。
【００１２】  病院などでは入院患者には陰部の清浄に蒸しタオルやウエットティッシュが用いられているが、本考案の衛生シャワーの流水洗浄のようには清潔に洗浄することはできない。
【００１３】  特許として［０００５］に記したように、小便器に固定する男性用ビデ、というものがある。この小便器に固定する男性用ビデを個室トイレに応用したとしても、洗浄水の微妙な水圧や流水の形状の微妙なコントロールは不可能であるので、化膿部分の奥深い微小な部分を洗浄することはできない。一方、本考案の衛生シャワーでは、水圧調節コックと流量調節ハンドコックおよび洗浄液射出ノズルを組み合わせて、患部の化膿状況に応じてノズルより射出する洗浄水の水圧や流水の形状を微妙にコントロールして、化膿部分の奥深い微小な部分まで化膿部分に非接触でダメージを与えないで衛生的にさらに効率的に洗浄を行うことができる。
【００１４】  前記［０００５］で記した男性用ビデの場合、ズボンやパンツや靴など下半身の衣類を濡らしてしまう恐れがあり実用的ではない。これに対し本考案の衛生シャワーは和式および洋式の個室トイレで用いるのでそのような心配は全く無い。またこのビデを公衆トイレで用いる場合、多くの人の出入りする所で男性器を洗うには抵抗感がある。一方、本考案の衛生シャワーは個室トイレを用いるのでそのような抵抗感は全くない。
【課題を解決するための手段】
【００１５】  便器と上水道から分岐する配管、水圧調節コック、自在ホース、流量調節ハンドコック、ホース先端部ノズルおよびドライヤーから成る衛生シャワーである。さらに、既存のシャワートイレの洗浄水射出部に分岐する枝管を接続し、その二次側に前記配管類などを接続して成る衛生シャワーである。また、冬期の水温が低い場合や寒冷地方では洗浄液を加温する必要があるが、その場合には加温装置を組み込めばよい。
【考案の効果】
【００１６】  上述の様に、本考案は、和式および洋式の個室トイレに衛生シャワーを取り付けることにより、開腹手術後の傷口の化膿部分の洗浄やできものの膿の洗浄および排便排尿後の陰部の洗浄などとして使用し、衛生を確保し、極めて衛生的で爽快な生活を実現することができる。
【図面の簡単な説明】
【００１７】
【図１】  本考案の一実施例として、和式個室トイレに取り付けられた衛生シャワーの斜視図で、ホース１本の場合である。
【図２】  図１の正面図である。
【図３】  本考案の一実施例として、ホース２本の場合について、和式個室トイレに取り付けられた衛生シャワーの斜視図である。
【考案を実施するための形態】
【実施例】
【００１８】  以下、一実施例として和式個室トイレの場合について、添付図１に従って説明する。
（１）右手あるいは左手で流量調節ハンドコック８を軽く握って取り、下に向け便器の方へ持っていく。
（２）左手あるいは右手で水圧調節コック５を開く。このコック５を全開してもノズル９の先端から射出される水量と流水の形状は洗浄に最適になるように予め調節されている。
（３）流量調節ハンドコック８によって水量を調節する。このコック８は握った手の力を強めると射出し、緩めると止まるようになっている。
（４）洗浄液を流しながら体の必要な部位を洗う。
（５）洗い終わったら水圧調節コック５を閉める。
（６）流量調節ハンドコック８を握った手の力を緩める。
（７）流量調節ハンドコック８を上にしてフック７に掛ける。
（８）別途用意したドライヤーを用いて体の濡れた部位を乾かす。【００１９】  和式および洋式の個室トイレには上水道からの給水管が配管されているが、ここから分岐させた枝管をトイレ使用者の手の届く位置まで導く。その位置でその枝管に水圧調節コックを着けて個室トイレの壁に固定する。その水圧調節コックの二次側に自在ホースを取り付け、そのホースの先端に流量調節ハンドコックを取り付ける。またこの流量調節ハンドコックの先端に直線状のノズルあるいは湾曲したノズルあるいは自在に曲がるノズルを接合し、洗浄する部位に洗浄液が効率的に当たるようにすることができる。この流量調節ハンドコックは強く握ると水量が多く射出し、握る力を緩めると流水が止まるようになっている。このホースを握って開腹手術後の傷口の化膿部分やできものの膿の部分あるいは排便排尿後の陰部に洗浄液が当たるように導き洗浄を行う。この洗浄液は全て便器の中に流れ込み、便器の外に漏れるようなことはない。洗浄後は別途用意したドライヤーで濡れている部位を乾燥する。また、冬期の水温が低い場合や寒冷地方では洗浄液を加温する必要があるが、その場合には加温装置を組み込めばよい。
【符号の説明】
【００２０】１        和式便器
２        上水道配管
３        和式便器洗浄弁
４        枝管
５、５’  水圧調節コック（壁に固定）
６、６’  自在ホース
７、７’  フック（壁に固定）
８、８’  流量調節ハンドコック
９、９’  洗浄液射出ノズル
【図１】
0003160314.tif 000003
【図２】
0003160314.tif 000004
【図３】
0003160314.tif 000005
【手続補正書】
【提出日】平成22年3月3日(2010.3.3)
【手続補正１】
【補正対象書類名】実用新案登録請求の範囲
【補正対象項目名】全文
【補正方法】変更
【補正の内容】
【実用新案登録請求の範囲】
【請求項１】
和式および洋式の個室トイレに配管されている給水管に枝管を分岐させ、この枝管をトイレ使用者の手の届く位置まで導き、この枝管に水圧調節コックを接続して個室トイレの壁に固定し、このコックの反枝管側に自在ホースを取り付け、そのホースの先端に流量調節ハンドコックを取り付け、さらにこのハンドコックの先端に直線状のノズルあるいは湾曲したノズルあるいは自在に曲がるノズルを接合したことを特徴とする衛生シャワー。
【請求項２】
シャワートイレの洗浄水の射出部分に枝管を分岐させ、この枝管をトイレ使用者の手の届く位置まで導き、この枝管に水圧調節コックを接続して個室トイレの壁に固定し、このコックの反枝管側に自在ホースを取り付け、そのホースの先端に流量調節ハンドコックを取り付け、さらにこのハンドコックの先端に直線状のノズルあるいは湾曲したノズルあるいは自在に曲がるノズルを接合したことを特徴とする衛生シャワー。